(57)【要約】【課題】高画質を満足する高性能で小型のズームレンズを提供する。【解決手段】物体側より順に、負の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４とを配置してズームレンズを構成する。変倍に際しては、第１レンズ群Ｇ１および第４レンズ群Ｇ４を固定するとともに、第２レンズ群Ｇ２および第３レンズ群Ｇ３を光軸に沿って移動させる。そして、第１レンズ群Ｇ１の焦点距離をｆ１、第３レンズ群Ｇ３の焦点距離をｆ３としたとき、以下の条件式を満足するように構成する。      ０．２＜｜ｆ３／ｆ１｜＜０．５【選択図】図２
2010032936.tif 000002
【特許請求の範囲】
【請求項１】
物体側より順に、負の屈折力を有する第１レンズ群と、負の屈折力を有する第２レンズ群と、正の屈折力を有する第３レンズ群と、正または負の屈折力を有する第４レンズ群とからなり、
前記第１レンズ群は、物体側より順に、負のメニスカスレンズと、入射光を反射して光路を折り曲げる反射部材とから構成され、
前記第２レンズ群は、正負２枚のレンズから構成され、
前記第３レンズ群は、物体側より順に、絞りと、正負２枚のレンズからなる接合レンズであって正の屈折力を有する前群レンズと、物体側に凹面を向けた１枚のレンズであって負の屈折力を有する後群レンズとから構成されており、
変倍に際して、前記第１レンズ群および前記第４レンズ群が固定されるとともに、前記第２レンズ群および前記第３レンズ群が光軸に沿って移動される、
ことを特徴とするズームレンズ。
【請求項２】
広角端から望遠端への変倍を行うに際して、
前記第２レンズ群は、像面側へ移動した後に物体側へ移動し、
前記第３レンズ群は、物体側に移動する、
ことを特徴とする請求項１に記載のズームレンズ。
【請求項３】
前記第４レンズ群は、１枚のレンズから構成される、
ことを特徴とする請求項１または２に記載のズームレンズ。
【請求項４】
前記第１レンズ群の焦点距離をｆ１、前記第３レンズ群の焦点距離をｆ３としたとき、以下の条件式を満足する、
ことを特徴とする請求項１〜３のいずれか１項に記載のズームレンズ。
０．２＜｜ｆ３／ｆ１｜＜０．５
【請求項５】
前記第３レンズ群の前記前群レンズの焦点距離をｆ３ａ、前記後群レンズの焦点距離をｆ３ｂとしたとき、以下の条件式を満足する、
ことを特徴とする請求項１〜４のいずれか１項に記載のズームレンズ。
｜ｆ３ａ／ｆ３ｂ｜＜０．７
【請求項６】
前記第３レンズ群の前記前群レンズのうち、負レンズのｄ線に対するアッベ数をνｄ３ｎ、正レンズのｄ線に対するアッベ数をνｄ３ｐとしたとき、以下の条件式を満足する、
ことを特徴とする請求項１〜５のいずれか１項に記載のズームレンズ。
２５＜νｄ３ｐ−νｄ３ｎ
【請求項７】
前記第４レンズ群は負の屈折力を有する、
ことを特徴とする請求項１〜６のいずれか１項に記載のズームレンズ。
【発明の詳細な説明】
【技術分野】
【０００１】
本発明は、ＣＣＤセンサやＣＭＯＳセンサ等の撮像素子上に被写体像を形成するズームレンズに関するものである。
【背景技術】
【０００２】
近年、デジタルスティルカメラに限らず、携帯電話機、携帯情報端末、インターネットカメラ等の小型の装置にカメラモジュールが搭載されてきている。これら小型の装置においては、カメラモジュールの搭載スペースが制約されることから、撮像レンズの性能向上はもちろんのこと、小型化への要求も非常に強いことが知られている。従来は、こうしたスペース上の制約に対して、ピント調節機構等の不要なパンフォーカスタイプの撮影レンズを搭載することで対応してきたのが実情である。
【０００３】
しかしながら、昨今、携帯電話機等の高機能化に伴い、これら小型の装置においても、デジタルスティルカメラと同様にズームレンズの搭載が検討されている。ズームレンズにおいて変倍および合焦を行うには、当該ズームレンズを構成するレンズ群のうち少なくとも２つのレンズ群を移動させる必要がある。このため、カメラモジュールの光軸方向の長さの増大が抑えられた全長の短いズームレンズを実現することは困難とされてきた。例えば、ズームレンズを保持するレンズ鏡胴を沈胴式にすることで不使用時のレンズ全長を短縮することを考慮しても、ズームレンズの全長を個々のレンズの厚さの総和よりも短くすることはできない。
【０００４】
そこで、例えば特許文献１に記載のズームレンズのように、ズームレンズの中に直角プリズムや反射ミラー等の反射部材を設け、この反射部材により光路を直角に折り曲げることによってズームレンズの小型化を図った光学系が知られている。
【０００５】
なお、上記特許文献１に記載のズームレンズは、４群７枚構成であり、物体側より順に、負の屈折力を有する第１レンズ群と、正の屈折力を有する第２レンズ群と、負の屈折力を有する第３レンズ群と、正の屈折力を有する第４レンズ群とから構成されている。
【特許文献１】特開２００７−９３９５５号公報
【発明の開示】
【発明が解決しようとする課題】
【０００６】
ところで、上述の携帯電話機等の小型の装置にあっては、装置そのものの小型化と並行して、撮像素子の高画素化も図られている。これに伴い、ズームレンズには、良好な収差補正能力や高解像度への対応等、高性能化も求められている。上記特許文献１に記載のズームレンズは、少ないレンズ枚数で比較的良好に収差を補正することができるものの、レンズ系の全長が長く、高性能化および小型化への要求を共に満足するものではなかった。
【０００７】
このような高性能化および小型化への要求は、携帯電話機等の小型の装置に限られたものではなく、一般向けのデジタルスティルカメラ等においても画像の変倍、特に画像劣化の少ない光学変倍が望まれており、その一方で携帯性を良くするための薄型化も望まれている。
【０００８】
本発明は上記のような従来技術の問題点に鑑みてなされたものであり、その目的は高画質を満足する高性能で小型のズームレンズを提供することにある。
【課題を解決するための手段】
【０００９】
上記課題を解決するために、本発明では、ズームレンズを、物体側より順に、負の屈折力を有する第１レンズ群と、負の屈折力を有する第２レンズ群と、正の屈折力を有する第３レンズ群と、正または負の屈折力を有する第４レンズ群とから構成した。このうち第１レンズ群を、物体側より順に、負のメニスカスレンズと、入射光を反射して光路を折り曲げる反射部材とから構成するとともに、第２レンズ群を、正負２枚のレンズから構成し、第３レンズ群を、物体側より順に、絞りと、正負２枚のレンズからなる接合レンズであって正の屈折力を有する前群レンズと、物体側に凹面を向けた１枚のレンズであって負の屈折力を有する後群とから構成するようにした。このような構成において、変倍に際しては、上記第１レンズ群および上記第４レンズ群が固定され、上記第２レンズ群および上記第３レンズ群が光軸に沿って移動するようにした。
【００１０】
ズームレンズとしてこのような構成を採用することにより、高性能化と小型化の両立を図ることができる。
【００１１】
また、本発明では、広角端から望遠端への変倍を行うに際して、上記第２レンズ群が像面側へ移動した後に物体側へ移動し、上記第３レンズ群が物体側に移動するようにした。
【００１２】
こうした構成のズームレンズにおいては、上記第４レンズ群を１枚のレンズから構成することが、ズームレンズの小型化を図る点からも望ましい。
【００１３】
また、本発明では、上記第１レンズ群の焦点距離をｆ１、上記第３レンズ群の焦点距離をｆ３としたとき、以下の条件式（１）を満足するように構成した。
０．２＜｜ｆ３／ｆ１｜＜０．５      （１）
【００１４】
ここで条件式（１）は、上記第２レンズ群および上記第３レンズ群の移動態様を規定するための条件である。当該条件式（１）を満たすことにより、変倍において、広角端での第２レンズ群の光軸上の位置と望遠端での第２レンズ群の光軸上の位置とがほぼ一致することになる。すなわち、この条件式（１）を満たすことにより、反射部材と第２レンズ群との間隔が広角端および望遠端においてほぼ一定の値となる。
【００１５】
一般に、ズームレンズから被写体までの距離（以下、物体距離という）が無限大のときには良好な収差が得られたとしても、物体距離が変われば、例えば至近となれば、収差の劣化が生じることとなる。条件式（１）を満たすことで、物体距離が無限大のときの第２レンズ群の光軸上の位置と、物体距離が至近のときの第２レンズ群の光軸上の位置との差分（繰出し量）が広角端と望遠端とでほぼ同一の値となる。このため、本発明のズームレンズによれば、至近距離から無限大（∞）まで変倍全域において収差の劣化を良好に抑制することが可能となる。
【００１６】
上記条件式（１）において、上限値「０．５」を超えると、広角端において第２レンズ群が物体側に大きく移動するため、ズームレンズの小型化を図ることが困難になる。また、下限値「０．２」を下回ると、第２レンズ群が、バックフォーカスの補正に関して像側に大きく移動するため、この場合もズームレンズの小型化を図ることは困難となる。
【００１７】
また、本発明では、上記第３レンズ群の上記前群レンズの焦点距離をｆ３ａ、上記後群レンズの焦点距離をｆ３ｂとしたとき、以下の条件式（２）を満足するように構成した。
｜ｆ３ａ／ｆ３ｂ｜＜０．７      （２）
【００１８】
ここで条件式（２）は、レンズ系全体を小型化するとともに、結像性能を良好に保つための条件である。上限値「０．７」を超えると、変倍系全体の小型化には有効であるものの、第３レンズ群の前群レンズの屈折力が強くなるため、変倍全域にわたって球面収差およびコマ収差のバランスをとることが困難となる。
【００１９】
このような構成においては、前群レンズおよび後群レンズの各レンズ面のうち少なくとも一面を非球面として、上記条件式（２）を満たすようにすることが望ましい。このようにすれば、第３レンズ群全体の屈折力を強くすることができるため、第３レンズ群が光軸に沿って大きく移動したとしても、変倍全域においてコマ収差、球面収差および像面湾曲のバランスを良好にとることができるようになる。
【００２０】
さらに、本発明では、上記第３レンズ群の上記前群レンズのうち、負レンズのアッベ数をνｄ３ｎ、正レンズのアッベ数をνｄ３ｐとしたとき、以下の条件式（３）を満足するように構成した。
２５＜ν３ｐ−ν３ｎ      （３）
【００２１】
ここで条件式（３）は、広角端から望遠端までの変倍全域にわたって軸上の色収差のバランスと像面湾曲を安定に保つための条件である。条件式（３）の範囲から外れると、軸上の色収差が＋方向（補正過剰）となり特に望遠側の短波長が大きく補正過剰となる。また、これを補正するために接合面の曲率半径を大きくすれば、像面の湾曲が増大し、良好な結像状態を保つことができない。
【００２２】
この条件式（３）は、前群レンズにおける接合面の曲率半径をレンズ加工の上で適正に保つための条件でもある。よって、条件式（３）の範囲から外れることにより、上記接合面の曲率半径が極めて小さな値となり、高い精度でのレンズ加工が必要とされることとなって、ひいては製造コストの上昇に繋がることになる。
【００２３】
さらに、このようなレンズ構成においては、上記第２レンズ群のうちの負レンズのアッベ数をνｄ２ｎ、正レンズのアッベ数をνｄ２ｐとしたとき、以下の条件式（４）を満たすようにすることがより望ましい。
１５＜νｄ２ｎ−νｄ２ｐ      （４）
【００２４】
この条件式（４）の範囲から外れると、軸上の色収差と倍率の色収差の補正を同時に満たすことが困難となる。また、第２レンズ群の接合面の曲率半径を小さくすることでこれら収差の補正を図ろうとすると、球面収差とコマ収差のバランスが著しく悪化してしまうことになる。
【００２５】
また、本発明では、上記第４レンズ群を負の屈折力を有するレンズ群とした。このように、負の屈折力を有するレンズ群を最終レンズ群とすることにより、主点の位置が物体側に移動するため、レンズ系の全長を短くすることができる。
【発明の効果】
【００２６】
本発明のズームレンズによれば、物体距離が至近から無限大にわたり、広角端から望遠端まで各種収差が良好に補正されるため、高画質を満足する高性能で小型のズームレンズを提供することができる。
【発明を実施するための最良の形態】
【００２７】
以下、本発明を具体化した一実施の形態について、図面を参照しながら詳細に説明する。
【００２８】
図１、図２、図９、図１６、図２３、図３０、図３７はそれぞれ、本実施の形態の数値実施例１〜６に対応するズームレンズのレンズ断面図を示したものである。ここで、数値実施例１〜５においては、後述の第４レンズ群Ｇ４が負の屈折力を有するのに対し、数値実施例６においては、当該第４レンズ群Ｇ４は正の屈折力を有している。しかしながら、この点を除けば、いずれの数値実施例も基本的なレンズ構成は同一であるため、ここでは数値実施例１のレンズ断面図を参照しながら、本実施の形態に係るズームレンズのレンズ構成について説明することにする。
【００２９】
図１に示すように、本実施の形態に係るズームレンズは、物体側より順に、負の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４とから構成される。第４レンズ群Ｇ４と撮像素子の像面との間には、カバーガラス１０が配置されている。このカバーガラス１０は、割愛することも可能である。なお、図１では、第２レンズ群Ｇ２の上部が水平に切断されているが、これは光線の通らないレンズ部分をＤカットしたためである。
【００３０】
また、本実施の形態に係るズームレンズでは、第１レンズ群Ｇ１および第４レンズ群Ｇ４は固定されており、第２レンズ群Ｇ２および第３レンズ群Ｇ３は光軸に沿って移動可能に構成されている。こうしたレンズ構成において、広角端から望遠端への変倍を行うに際しては、第２レンズ群Ｇ２が像面側へ移動した後に物体側へ移動し、第３レンズ群Ｇ３は、光軸に沿って物体側に移動する。詳しくは、第２レンズ群Ｇ２は、その移動軌跡が物体側に凹状となるように光軸に沿って移動し（図４４参照）、第３レンズ群Ｇ３は、第２レンズ群Ｇ２に近づく方向にその移動軌跡が直線状となるように光軸に沿って移動する。
【００３１】
このように、本実施の形態に係るズームレンズは、第３レンズ群Ｇ３の移動によって変倍が行われるとともに、第２レンズ群Ｇ２の移動によって合焦およびバックフォーカスの調整が行われる構成となっている。
【００３２】
上記ズームレンズにおいて、第１レンズ群Ｇ１は、物体側より順に、物体側に凸面を向けた負のメニスカスレンズである第１レンズＬ１と、入射光を反射して光路を直角に折り曲げるプリズムＲ１（反射部材）とから構成されている。本実施の形態に係るズームレンズでは、プリズムＲ１として、光線の通過する入射面および出射面の形状が長方形（奥行き方向に長い）となる直角三角柱状のプリズムを採用している。よって、上述の第２レンズ群Ｇ２のＤカットされた構成と相まって、ズームレンズ全体の更なる小型化が図られている。
【００３３】
この反射部材としては、入射光を反射して光路を折り曲げる作用を有するものであればよく、本実施の形態のプリズムの他に、例えばミラーを採用することもできる。なお、便宜上、図２、図９、図１６、図２３、図３０、図３７の各レンズ断面図においては、プリズムＲ１を、その光路長と等価な平行平面板として表すことにする。
【００３４】
第２レンズ群Ｇ２は、物体側に凹面を向けた正のメニスカスレンズである第２レンズＬ２と両凹レンズである第３レンズＬ３とを接合してなる１枚の接合レンズから構成される。この接合レンズは、正レンズと負レンズとの組合せであればその正負の屈折力の並びは限定されない。物体側のレンズが負レンズであり、像面側のレンズが正レンズであってもよい。また、この第２レンズ群Ｇ２は、上述の１枚の接合レンズに限定されるものではなく、分離した正負２枚のレンズから構成されてもよい。
【００３５】
第３レンズ群Ｇ３は、物体側より順に、絞りＳＴと、正の屈折力を有する前群レンズと両凹レンズである第６レンズＬ６（後群）とから構成される。前群レンズは、両凸レンズである第４レンズＬ４と、物体側に凹面を向けた負のメニスカスレンズである第５レンズＬ５との接合レンズによって構成されている。この前群レンズの接合レンズも、上記第２レンズ群Ｇ２の接合レンズと同様、正レンズと負レンズとの組合せであればその正負の屈折力の並びは限定されない。
【００３６】
そして、第４レンズ群Ｇ４は、物体側に凹面を向けた負のメニスカスレンズである第７レンズＬ７から構成される。この第７レンズＬ７において、その像面側の面は、光軸近傍が像面側に凸形状で且つ周辺部が像面側に凹形状となる非球面形状、すなわち変曲点を有する非球面形状に形成されている。
【００３７】
本実施の形態では、必要に応じて、各レンズのレンズ面を非球面で形成している。これらレンズ面に採用する非球面形状は、光軸方向の軸をＺ、光軸に直交する方向の高さをＨ、円錐係数をｋ、非球面係数をＡ4、Ａ6、Ａ8、Ａ10としたとき、次式により表される。
【数１】
2010032936.tif 000003
【００３８】
また、本実施の形態に係るズームレンズは、第１レンズ群Ｇ１の焦点距離をｆ１、第３レンズ群Ｇ３の焦点距離をｆ３としたとき、
０．２＜｜ｆ３／ｆ１｜＜０．５      （１）
を満足させることにより、至近距離から無限大（∞）まで変倍全域において収差の劣化を良好に抑制つつ、ズームレンズの小型化を図っている。
【００３９】
また、変倍全域にわたって球面収差およびコマ収差のバランスを良好にとるために、本実施の形態に係るズームレンズでは、第３レンズ群Ｇ３の前群レンズの焦点距離をｆ３ａ、同第３レンズ群Ｇ３の後群レンズの焦点距離をｆ３ｂとしたとき、
｜ｆ３ａ／ｆ３ｂ｜＜０．７      （２）
を満足するようにしている。
【００４０】
また、第３レンズ群Ｇ３の前群レンズのうち、負レンズのｄ線に対するアッベ数をνｄ３ｎ、正レンズのｄ線に対するアッベ数をνｄ３ｐとしたとき、
２５＜νｄ３ｐ−νｄ３ｎ      （３）
を満足させることにより、広角端から望遠端までの変倍全域にわたって軸上の色収差のバランスと像面湾曲を安定に保っている。
【００４１】
さらに、本実施の形態に係るズームレンズにおいては、第２レンズ群Ｇ２の前群レンズのうち、負レンズのｄ線に対するアッベ数をνｄ２ｎ、正レンズのｄ線に対するアッベ数をνｄ２ｐとしたとき、
１５＜νｄ２ｎ−νｄ２ｐ      （４）
を満足することで、軸上の色収差と倍率の色収差の良好な補正を行っている。
【００４２】
次に、本実施の形態に係るズームレンズの数値実施例を示す。各数値実施例において、バックフォーカスＢＦは、第７レンズＬ７の像面側の面から近軸像面までの距離を空気換算長により示したものであり、レンズ全長Ｌは、第１レンズＬ１の物体側面から第７レンズＬ７の像面側の面までの距離に上記バックフォーカスＢＦの値を加えたものである。
【００４３】
また、ｉは物体側より数えた面番号を示し、Ｒは曲率半径を示し、ｄは光軸に沿ったレンズ面間の距離（面間隔）を示し、Ｎｄはｄ線に対する屈折率を、νｄはｄ線に対するアッベ数をそれぞれ示す。なお、非球面の面には、面番号ｉの後に＊（アスタリスク）の符号を付加して示す。
【００４４】
（数値実施例１）
基本的なレンズデータを以下に示す。
単位    ｍｍ
面データ
面番号ｉ        Ｒ        ｄ        Ｎｄ     νｄ
（物面）          ∞        ∞
1*        20.153    0.700    1.496997    81.58
2*         6.380    2.200
3             ∞    5.500    1.696802    55.44
4             ∞     可変
5        -18.066    1.200    1.784716    25.69（＝νｄ２ｐ）
6         -7.709    0.600    1.693504    53.32（＝νｄ２ｎ）
7         23.117     可変
8（絞り）       ∞    0.100
9*         3.344    1.700    1.693504    53.35（＝νｄ３ｐ）
10         -6.108    0.650    1.846664    23.77（＝νｄ３ｎ）
11       -107.918    0.500
12*        -9.916    0.650    1.524674    56.54
13*        28.647     可変
14*       -14.104    1.000    1.524674    56.54
15*       -14.734    0.400
16             ∞    0.800    1.516328    64.12
17             ∞    3.955
（像面）          ∞
【００４５】
各種データ
ズーム比  2.804
広角端         中間           望遠端
全系焦点距離ｆ        4.546          7.687         12.748
Ｆナンバー            4.022          5.621          7.701
半画角ω（°）        31.81          20.15          12.47
像高                  2.820          2.820          2.820
レンズ全長Ｌ          31.38          31.38          31.38
バックフォーカスＢＦ  4.883          4.883          4.883
ｄ４            1.000          3.065          0.857
ｄ７            8.200          3.074          1.106
ｄ１３          2.500          5.561          9.738
ｆ１＝−１９．１０６
ｆ３＝６．６８２０
ｆ３ａ＝５．１７５
ｆ３ｂ＝−１３．９５９
νｄ２ｐ＝２５．６９
νｄ２ｎ＝５３．３２
νｄ３ｐ＝５３．３５
νｄ３ｎ＝２３．７７
【００４６】
非球面データ
第１面
ｋ=1.009933E+01,Ａ4=8.695025E-04,Ａ6=-3.440545E-05,Ａ8=5.533361E-07,Ａ10=-9.396567E-09
第２面
ｋ=-6.078082E-01,Ａ4=1.295914E-03,Ａ6=-3.637598E-06
第９面
ｋ=-4.834394E-01,Ａ4=2.257744E-03,Ａ6=3.257948E-04
第１２面
ｋ=1.745174E+01,Ａ4=-3.559121E-03,Ａ6=-1.080802E-03
第１３面
ｋ=2.349384E+02,Ａ4=5.163791E-03,Ａ6=-1.244500E-04
第１４面
ｋ=-6.027998E+01,Ａ4=1.887242E-04,Ａ6=5.211931E-04,Ａ8=2.886426E-05
第１５面
ｋ=-1.421557E+02,Ａ4=5.185149E-04,Ａ6=5.055159E-04,Ａ8=1.427364E-05,Ａ10=4.554242E-06
【００４７】
各条件式の値を以下に示す。
｜ｆ３／ｆ１｜＝０．３５０
｜ｆ３ａ／ｆ３ｂ｜＝０．３７１
νｄ３ｐ−νｄ３ｎ＝２９．７８
νｄ２ｎ−νｄ２ｐ＝２７．６３
このように、本数値実施例１によるズームレンズは、条件式（１）、（２）、（３）を満たしている。また、条件式（４）も満たしている。
【００４８】
図３、図５、図７は、数値実施例１のズームレンズについて、半画角ωに対応する横収差をタンジェンシャル方向とサジタル方向に分けて示したものである（図１０、図１２、図１４、図１７、図１９、図２１、図２４、図２６、図２８、図３１、図３３、図３５、図３８、図４０、図４２において同じ）。このうち図３は広角端（Ｗ）における横収差を（図１０、図１７、図２４、図３１、図３８において同じ）、図５は中間位置（Ｎ）における横収差を（図１２、図１９、図２６、図３３、図４０において同じ）、図７は望遠端（Ｔ）における横収差をそれぞれ示したものである（図１４、図２１、図２８、図３５、図４２において同じ）。
【００４９】
また、図４、図６、図８は、数値実施例１のズームレンズについて、球面収差ＳＡ（ｍｍ）、非点収差ＡＳ（ｍｍ）、および歪曲収差ＤＩＳＴ（％）をそれぞれ示したものである。このうち図４は広角端（Ｗ）における各収差を、図６は中間位置（Ｎ）における各収差を、図８は望遠端（Ｔ）における各収差をそれぞれ示したものである。これら収差図において、球面収差図には、５８７．５６ｎｍ、４３５．８４ｎｍ、６５６．２７ｎｍ、４８６．１３ｎｍ、５４６．０７ｎｍの各波長に対する収差量とともに、正弦条件違反量ＯＳＣを併せて示し、非点収差図には、サジタル像面Ｓにおける収差量とタンジェンシャル像面Ｔにおける収差量とをそれぞれ示す（図１１、図１３、図１５、図１８、図２０、図２２、図２５、図２７、図２９、図３２、図３４、図３６、図３９、図４１、図４３において同じ）。このように、本数値実施例１に係るズームレンズによれば、各種収差が良好に補正されるようになる。なお、図３〜図８、図１０〜図１５、図１７〜図２２、図２４〜図２９、図３１〜図３６、図３８〜図４３の各収差図は、物体距離＝無限大（∞）における収差をそれぞれ示したものである。
【００５０】
（数値実施例２）
図９に示すように、数値実施例２に係るズームレンズは、上記数値実施例１に係るズームレンズと同様、第１レンズ群Ｇ１は、物体側に凸面を向けた負のメニスカスレンズである第１レンズＬ１と、プリズムＲ１とから構成されており、第２レンズ群Ｇ２は、物体側に凹面を向けた正のメニスカスレンズである第２レンズＬ２と両凹レンズである第３レンズＬ３とを接合してなる１枚の接合レンズから構成されている。第４レンズ群Ｇ４も、上記数値実施例１に係るズームレンズと同様、物体側に凹面を向けた負のメニスカスレンズである第７レンズＬ７から構成されている。
【００５１】
一方、第３レンズ群Ｇ３の前群レンズは、上記数値実施例１に係るズームレンズの前群レンズとは異なり、物体側より、物体側に凸面を向けた負のメニスカスレンズである第４レンズＬ４と両凸レンズである第５レンズＬ５との接合レンズによって構成されている。
【００５２】
以下、本数値実施例２に係るズームレンズの基本的なレンズデータを示す。
単位    ｍｍ
面データ
面番号ｉ        Ｒ        ｄ        Ｎｄ     νｄ
（物面）          ∞        ∞
1*        26.033    0.750    1.496997    81.58
2*         6.458    1.850
3             ∞    4.400    1.834001    37.33
4             ∞     可変
5        -23.163    1.100    1.717360    29.49（＝νｄ２ｐ）
6         -6.324    0.480    1.719998    50.32（＝νｄ２ｎ）
7         14.224     可変
8（絞り）       ∞    0.100
9*         3.300    0.650    1.821146    24.05（＝νｄ３ｎ）
10          2.236    1.300    1.620410    60.30（＝νｄ３ｐ）
11         -6.720    0.400
12        -15.420    0.500    1.524674    56.54
13*         8.252     可変
14*       -15.976    0.850    1.524674    56.54
15*       -37.088    0.320
16             ∞    0.640    1.516328    64.12
17             ∞    4.0733
（像面）          ∞
【００５３】
各種データ
ズーム比  2.807
広角端         中間           望遠端
全系焦点距離ｆ        3.936          7.310         11.049
Ｆナンバー            3.766          5.523          7.149
半画角ω（°）        29.75          17.11          11.51
像高                  2.250          2.250          2.250
レンズ全長Ｌ          27.71          27.71          27.71
バックフォーカスＢＦ  4.815          4.815          4.815
ｄ４            0.900          2.535          0.959
ｄ７            7.400          2.589          1.252
ｄ１３          2.000          5.176          8.088
ｆ１＝−１７．５０４
ｆ３＝５．６５８
ｆ３ａ＝４．１８８
ｆ３ｂ＝−１０．１７１
νｄ２ｐ＝２９．４９
νｄ２ｎ＝５０．３２
νｄ３ｐ＝６０．３０
νｄ３ｎ＝２４．０５
【００５４】
非球面データ
第１面
ｋ=3.142295E+01,Ａ4=2.313699E-03,Ａ6=1.984300E-06,Ａ8=-9.249671E-08,Ａ10=-4.583432E-08
第２面
ｋ=2.044969,Ａ4=1.724535E-03,Ａ6=1.347033E-04
第９面
ｋ=-8.767463E-01,Ａ4=1.857209E-03,Ａ6=1.110360E-04,Ａ8=-5.092454E-05,Ａ10=6.151555E-06
第１３面
ｋ=9.006690,Ａ4=4.593971E-03,Ａ6=-2.332519E-04
第１４面
ｋ=-1.096295E+02,Ａ4=-8.995161E-06,Ａ6=-7.138660E-04
第１５面
ｋ=-3.685131E+03,Ａ4=1.532861E-03,Ａ6=-6.346671E-05,Ａ8=-2.972286E-05,Ａ10=-1.789463E-05
【００５５】
各条件式の値を以下に示す。
｜ｆ３／ｆ１｜＝０．３２３
｜ｆ３ａ／ｆ３ｂ｜＝０．４１２
νｄ３ｐ−νｄ３ｎ＝３６．２５
νｄ２ｎ−νｄ２ｐ＝２０．８３
このように、本数値実施例２によるズームレンズは、条件式（１）、（２）、（３）を満たしている。また、条件式（４）も満たしている。
【００５６】
図１０、図１２、図１４は、数値実施例２のズームレンズについて、半画角ωに対応する横収差を示したものであり、図１１、図１３、図１５は、球面収差ＳＡ（ｍｍ）、非点収差ＡＳ（ｍｍ）、および歪曲収差ＤＩＳＴ（％）をそれぞれ示したものである。このように、本数値実施例２に係るズームレンズによっても、数値実施例１と同様に、像面が良好に補正され、各種収差が好適に補正される。
【００５７】
（数値実施例３）
図１６に示すように、数値実施例３に係るズームレンズの第１レンズ群Ｇ１は、上記数値実施例１に係るズームレンズと同様、物体側に凸面を向けた負のメニスカスレンズである第１レンズＬ１と、プリズムＲ１とから構成されている。第３レンズ群Ｇ３は、上記数値実施例２に係るズームレンズと同様、物体側より順に、絞りＳＴと、物体側に凸面を向けた負のメニスカスレンズである第４レンズＬ４と両凸レンズである第５レンズＬ５との接合レンズから構成される前群レンズと、両凹レンズである第６レンズＬ６（後群）とから構成されている。また、第４レンズ群Ｇ４は、上記数値実施例１に係るズームレンズと同様、物体側に凹面を向けた負のメニスカスレンズである第７レンズＬ７から構成されている。
【００５８】
一方、第２レンズ群Ｇ２は、上記数値実施例１に係るズームレンズの第２レンズ群Ｇ２とは異なり、物体側より、両凹レンズである第２レンズＬ２と、物体側に凸面を向けたメニスカスレンズである第３レンズＬ３とを接合してなる接合レンズから構成されている。
【００５９】
以下、本数値実施例３に係るズームレンズの基本的なレンズデータを示す。
単位    ｍｍ
面データ
面番号ｉ        Ｒ        ｄ        Ｎｄ     νｄ
（物面）          ∞        ∞
1*        27.049    0.700    1.524674    56.54
2*         6.197    1.900
3             ∞    4.600    1.846664    23.77
4             ∞     可変
5        -14.140    0.480    1.719998    50.32（＝νｄ２ｎ）
6          6.309    0.960    1.717360    29.49（＝νｄ２ｐ）
7         21.362     可変
8（絞り）       ∞    0.080
9*         3.217    0.640    1.821146    24.05（＝νｄ３ｎ）
10          2.248    1.280    1.620410    60.30（＝νｄ３ｐ）
11         -6.584    0.400
12        -16.705    0.520    1.524674    56.54
13*         8.468     可変
14*       -14.562    0.880    1.524674    56.54
15*       -19.240    0.320
16             ∞    0.640    1.516328    64.12
17             ∞    3.3258
（像面）          ∞
【００６０】
各種データ
ズーム比  2.793
広角端         中間           望遠端
全系焦点距離ｆ        3.498          6.472          9.771
Ｆナンバー            3.835          5.572          7.203
半画角ω（°）        32.75          19.17          12.97
像高                  2.250          2.250          2.250
レンズ全長Ｌ          25.87          25.87          25.87
バックフォーカスＢＦ  4.068          4.068          4.068
ｄ４            0.800          2.273          0.765
ｄ７            6.560          2.116          0.898
ｄ１３          2.000          4.971          7.698
ｆ１＝−１５．５００
ｆ３＝５．３０２
ｆ３ａ＝４．０５２
ｆ３ｂ＝−１０．６３５
νｄ２ｐ＝２９．４９
νｄ２ｎ＝５０．３２
νｄ３ｐ＝６０．３０
νｄ３ｎ＝２４．０５
【００６１】
非球面データ
第１面
ｋ=2.981456E+01,Ａ4=2.135714E-03,Ａ6=-8.804306E-06,Ａ8=-1.944433E-07,Ａ10=-2.435590E-08
第２面
ｋ=1.582468,Ａ4=1.535105E-03,Ａ6=1.148307E-04
第９面
ｋ=-8.609339E-01,Ａ4=1.925471E-03,Ａ6=1.107858E-04,Ａ8=-6.063838E-05,Ａ10=-1.250533E-05
第１３面
ｋ=1.264469E+01,Ａ4=5.717229E-03,Ａ6=-3.307578E-04
第１４面
ｋ=-3.273228E+02,Ａ4=5.271396E-04,Ａ6=2.555035E-04
第１５面
ｋ=-1.531681E+03,Ａ4=3.762908E-03,Ａ6=4.623450E-04,Ａ8=9.369473E-06,Ａ10=-2.292344E-05
【００６２】
各条件式の値を以下に示す。
｜ｆ３／ｆ１｜＝０．３４２
｜ｆ３ａ／ｆ３ｂ｜＝０．３８１
νｄ３ｐ−νｄ３ｎ＝３６．２５
νｄ２ｎ−νｄ２ｐ＝２０．８３
このように、本数値実施例３によるズームレンズは、条件式（１）、（２）、（３）を満たしている。また、条件式（４）も満たしている。
【００６３】
図１７、図１９、図２１は、数値実施例３のズームレンズについて、半画角ωに対応する横収差を示したものであり、図１８、図２０、図２２は、球面収差ＳＡ（ｍｍ）、非点収差ＡＳ（ｍｍ）、および歪曲収差ＤＩＳＴ（％）をそれぞれ示したものである。このように、本数値実施例３に係るズームレンズによっても、数値実施例１と同様に、像面が良好に補正され、各種収差が好適に補正される。
【００６４】
（数値実施例４）
図２３に示すように、数値実施例４に係るズームレンズの基本的なレンズ構成は、上記数値実施例２に係るズームレンズのレンズ構成と同じである。すなわち、第１レンズ群Ｇ１は、物体側に凸面を向けた負のメニスカスレンズである第１レンズＬ１と、プリズムＲ１とから構成されており、第２レンズ群Ｇ２は、物体側に凹面を向けた正のメニスカスレンズである第２レンズＬ２と両凹レンズである第３レンズＬ３とを接合してなる１枚の接合レンズから構成されている。また、第３レンズ群Ｇ３は、物体側より順に、絞りＳＴと、物体側に凸面を向けた負のメニスカスレンズである第４レンズＬ４と両凸レンズである第５レンズＬ５との接合レンズから構成される前群レンズと、両凹レンズである第６レンズＬ６（後群）とから構成されている。第４レンズ群Ｇ４は、物体側に凹面を向けた負のメニスカスレンズである第７レンズＬ７から構成されている。
【００６５】
以下、本数値実施例４に係るズームレンズの基本的なレンズデータを示す。
単位    ｍｍ
面データ
面番号ｉ        Ｒ        ｄ        Ｎｄ     νｄ
（物面）          ∞        ∞
1*        27.250    0.700    1.496997    81.58
2*         6.060    1.900
3             ∞    4.600    1.834001    37.33
4             ∞     可変
5        -22.685    0.960    1.717360    29.49（＝νｄ２ｐ）
6         -6.290    0.480    1.719998    50.32（＝νｄ２ｎ）
7         13.970     可変
8（絞り）       ∞    0.080
9*         3.206    0.640    1.821146    24.05（＝νｄ３ｎ）
10          2.243    1.280    1.617998    63.37（＝νｄ３ｐ）
11         -6.530    0.400
12        -16.670    0.520    1.524674    56.54
13*         8.577     可変
14*       -14.400    0.880    1.524674    56.54
15*       -18.600    0.320
16             ∞    0.640    1.516328    64.12
17             ∞    3.2965
（像面）          ∞
【００６６】
各種データ
ズーム比  2.800
広角端         中間           望遠端
全系焦点距離ｆ        3.544          6.573          9.922
Ｆナンバー            3.819          5.555          7.176
半画角ω（°）        32.41          18.90          12.78
像高                  2.250          2.250          2.250
レンズ全長Ｌ          25.84          25.84          25.84
バックフォーカスＢＦ  4.039          4.039          4.039
ｄ４            0.800          2.273          0.765
ｄ７            6.560          2.116          0.898
ｄ１３          2.000          4.971          7.698
ｆ１＝−１５．８５４
ｆ３＝５．２８８
ｆ３ａ＝４．０５１
ｆ３ｂ＝−１０．７１８
νｄ２ｐ＝２９．４９
νｄ２ｎ＝５０．３２
νｄ３ｐ＝６３．３７
νｄ３ｎ＝２４．０５
【００６７】
非球面データ
第１面
ｋ=3.206768E+01,Ａ4=2.284332E-03,Ａ6=-1.856356E-06,Ａ8=-1.678120E-07,Ａ10=-3.396651E-08
第２面
ｋ=1.676139,Ａ4=1.612490E-03,Ａ6=1.445923E-04
第９面
ｋ=-8.713118E-01,Ａ4=1.884205E-03,Ａ6=1.114305E-04,Ａ8=-6.879170E-05,Ａ10=-5.926208E-06
第１３面
ｋ=1.132085E+01,Ａ4=5.283755E-03,Ａ6=-2.612384E-04
第１４面
ｋ=-2.269993E+02,Ａ4=1.163618E-04,Ａ6=-9.218827E-05
第１５面
ｋ=-8.837434E+02,Ａ4=3.100882E-03,Ａ6=1.893077E-04,Ａ8=-1.890326E-05,Ａ10=-1.592269E-05
【００６８】
各条件式の値を以下に示す。
｜ｆ３／ｆ１｜＝０．３３４
｜ｆ３ａ／ｆ３ｂ｜＝０．３７８
νｄ３ｐ−νｄ３ｎ＝３９．３２
νｄ２ｎ−νｄ２ｐ＝２０．８３
このように、本数値実施例４によるズームレンズは、条件式（１）、（２）、（３）を満たしている。また、条件式（４）も満たしている。
【００６９】
図２４、図２６、図２８は、数値実施例４のズームレンズについて、半画角ωに対応する横収差を示したものであり、図２５、図２７、図２９は、球面収差ＳＡ（ｍｍ）、非点収差ＡＳ（ｍｍ）、および歪曲収差ＤＩＳＴ（％）をそれぞれ示したものである。このように、本数値実施例４に係るズームレンズによっても、数値実施例１と同様に、像面が良好に補正され、各種収差が好適に補正される。
【００７０】
（数値実施例５）
図３０に示すように、数値実施例５に係るズームレンズも、その基本的なレンズ構成は、上記数値実施例２に係るズームレンズのレンズ構成と同じである。すなわち、第１レンズ群Ｇ１は、物体側に凸面を向けた負のメニスカスレンズである第１レンズＬ１と、プリズムＲ１とから構成されており、第２レンズ群Ｇ２は、物体側に凹面を向けた正のメニスカスレンズである第２レンズＬ２と両凹レンズである第３レンズＬ３とを接合してなる１枚の接合レンズから構成されている。また、第３レンズ群Ｇ３は、物体側より順に、絞りＳＴと、物体側に凸面を向けた負のメニスカスレンズである第４レンズＬ４と両凸レンズである第５レンズＬ５との接合レンズから構成される前群レンズと、両凹レンズである第６レンズＬ６（後群）とから構成されている。第４レンズ群Ｇ４は、物体側に凹面を向けた負のメニスカスレンズである第７レンズＬ７から構成されている。
【００７１】
以下、本数値実施例５に係るズームレンズの基本的なレンズデータを示す。
単位    ｍｍ
面データ
面番号ｉ        Ｒ        ｄ        Ｎｄ     νｄ
（物面）          ∞        ∞
1*        26.688    0.640    1.496997    81.58
2*         6.049    1.840
3             ∞    4.400    1.834001    37.33
4             ∞     可変
5        -22.996    0.960    1.717360    29.49（＝νｄ２ｐ）
6         -6.312    0.480    1.719998    50.32（＝νｄ２ｎ）
7         14.133     可変
8（絞り）       ∞    0.080
9*         3.211    0.640    1.821146    24.05（＝νｄ３ｎ）
10          2.246    1.280    1.617998    63.37（＝νｄ３ｐ）
11         -6.545    0.400
12        -16.446    0.520    1.524674    56.54
13*         8.591     可変
14*       -16.366    0.880    1.524674    56.54
15*       -19.211    0.320
16             ∞    0.640    1.516328    64.12
17             ∞    3.2598
（像面）          ∞
【００７２】
各種データ
ズーム比  2.800
広角端         中間           望遠端
全系焦点距離ｆ        3.545          6.576          9.927
Ｆナンバー            3.774          5.491          7.095
半画角ω（°）        32.40          18.89          12.77
像高                  2.250          2.250          2.250
レンズ全長Ｌ          25.48          25.48          25.48
バックフォーカスＢＦ  4.002          4.002          4.002
ｄ４            0.800          2.270          0.746
ｄ７            6.560          2.103          0.889
ｄ１３          2.000          4.987          7.725
ｆ１＝−１５．９０２
ｆ３＝５．３０９
ｆ３ａ＝４．０５９
ｆ３ｂ＝−１０．６７９
νｄ２ｐ＝２９．４９
νｄ２ｎ＝５０．３２
νｄ３ｐ＝６３．３７
νｄ３ｎ＝２４．０５
【００７３】
非球面データ
第１面
ｋ=3.113544E+01,Ａ4=2.270875E-03,Ａ6=-2.477250E-06,Ａ8=-1.908980E-07,Ａ10=-3.936596E-08
第２面
ｋ=1.571952,Ａ4=1.438971E-03,Ａ6=1.529859E-04
第９面
ｋ=-8.825874E-01,Ａ4=1.841859E-03,Ａ6=1.145438E-04,Ａ8=-6.288329E-05,Ａ10=-1.762244E-06
第１３面
ｋ=1.072746E+01,Ａ4=5.139218E-03,Ａ6=-3.060146E-04
第１４面
ｋ=-2.557394E+02,Ａ4=-9.265117E-05,Ａ6=-2.953399E-04
第１５面
ｋ=-9.397555E+02,Ａ4=2.425844E-03,Ａ6=8.852158E-05,Ａ8=-1.759892E-05,Ａ10=-1.229519E-05
【００７４】
各条件式の値を以下に示す。
｜ｆ３／ｆ１｜＝０．３３４
｜ｆ３ａ／ｆ３ｂ｜＝０．３８０
νｄ３ｐ−νｄ３ｎ＝３９．３２
νｄ２ｎ−νｄ２ｐ＝２０．８３
このように、本数値実施例５によるズームレンズは、条件式（１）、（２）、（３）を満たしている。また、条件式（４）も満たしている。
【００７５】
図３１、図３３、図３５は、数値実施例５のズームレンズについて、半画角ωに対応する横収差を示したものであり、図３２、図３４、図３６は、球面収差ＳＡ（ｍｍ）、非点収差ＡＳ（ｍｍ）、および歪曲収差ＤＩＳＴ（％）をそれぞれ示したものである。このように、本数値実施例５に係るズームレンズによっても、数値実施例１と同様に、像面が良好に補正され、各種収差が好適に補正される。
【００７６】
（数値実施例６）
図３７に示すように、数値実施例６に係るズームレンズは、上記数値実施例１〜５に係るズームレンズのレンズ構成とは異なり、第４レンズ群Ｇ４が正の屈折力を有している。具体的には、第４レンズ群Ｇ４は、物体側に凹面を向けた１枚の正のメニスカスレンズである第７レンズＬ７から構成されている。
【００７７】
第４レンズ群Ｇ４以外のレンズ群の基本的な構成は、上記数値実施例２に係るズームレンズのレンズ構成と同じである。すなわち、第１レンズ群Ｇ１は、物体側に凸面を向けた負のメニスカスレンズである第１レンズＬ１と、プリズムＲ１とから構成されており、第２レンズ群Ｇ２は、物体側に凹面を向けた正のメニスカスレンズである第２レンズＬ２と両凹レンズである第３レンズＬ３とを接合してなる１枚の接合レンズから構成されている。また、第３レンズ群Ｇ３は、物体側より順に、絞りＳＴと、物体側に凸面を向けた負のメニスカスレンズである第４レンズＬ４と両凸レンズである第５レンズＬ５との接合レンズから構成される前群レンズと、両凹レンズである第６レンズＬ６（後群）とから構成されている。
【００７８】
以下、本数値実施例６に係るズームレンズの基本的なレンズデータを示す。
単位    ｍｍ
面データ
面番号ｉ        Ｒ        ｄ        Ｎｄ     νｄ
（物面）          ∞        ∞
1*        27.840    0.700    1.524674    56.54
2*         6.430    1.900
3             ∞    4.600    1.805175    25.45
4             ∞     可変
5        -21.030    1.100    1.728247    28.31（＝νｄ２ｐ）
6         -6.236    0.500    1.712997    53.92（＝νｄ２ｎ）
7         14.210     可変
8（絞り）       ∞    0.080
9*         3.233    0.700    1.821146    24.05（＝νｄ３ｎ）
10          2.187    1.300    1.617998    63.37（＝νｄ３ｐ）
11         -6.700    0.400
12        -16.090    0.500    1.524674    56.54
13*         8.600     可変
14*       -15.000    0.800    1.524674    56.54
15*       -14.000    0.320
16             ∞    0.640    1.516328    64.12
17             ∞    3.3792
（像面）          ∞
【００７９】
各種データ
ズーム比  2.810
広角端         中間           望遠端
全系焦点距離ｆ        3.409          6.337          9.580
Ｆナンバー            3.700          5.382          6.939
半画角ω（°）        33.43          19.55          13.22
像高                  2.250          2.250          2.250
レンズ全長Ｌ          26.60          26.60          26.60
バックフォーカスＢＦ  4.121          4.121          4.121
ｄ４            0.900          2.463          0.905
ｄ７            7.000          2.350          1.080
ｄ１３          2.000          5.087          7.915
ｆ１＝−１６．１１７
ｆ３＝５．４７９
ｆ３ａ＝４．１５３
ｆ３ｂ＝−１０．６０８
νｄ２ｐ＝２８．３１
νｄ２ｎ＝５３．９２
νｄ３ｐ＝６３．３７
νｄ３ｎ＝２４．０５
【００８０】
非球面データ
第１面
ｋ=2.749953E+01,Ａ4=2.042754E-03,Ａ6=-1.491479E-05,Ａ8=-3.424195E-07,Ａ10=-2.550155E-09
第２面
ｋ=1.498753,Ａ4=1.623664E-03,Ａ6=7.554994E-05
第９面
ｋ=-8.721349E-01,Ａ4=1.880222E-03,Ａ6=1.628697E-04,Ａ8=-3.603738E-05,Ａ10=-1.818849E-05
第１３面
ｋ=9.636786,Ａ4=4.800308E-03,Ａ6=8.229710E-05
第１４面
ｋ=-5.453532E+02,Ａ4=-2.121386E-04,Ａ6=4.291560E-04
第１５面
ｋ=-6.001397E+02,Ａ4=3.962934E-03,Ａ6=6.841687E-05,Ａ8=-1.194446E-04,Ａ10=3.498667E-05
【００８１】
各条件式の値を以下に示す。
｜ｆ３／ｆ１｜＝０．３４０
｜ｆ３ａ／ｆ３ｂ｜＝０．３９１
νｄ３ｐ−νｄ３ｎ＝３９．３２
νｄ２ｎ−νｄ２ｐ＝２５．６１
このように、本数値実施例６によるズームレンズは、条件式（１）、（２）、（３）を満たしている。また、条件式（４）も満たしている。
【００８２】
図３８、図４０、図４２は、数値実施例６のズームレンズについて、半画角ωに対応する横収差を示したものであり、図３９、図４１、図４３は、球面収差ＳＡ（ｍｍ）、非点収差ＡＳ（ｍｍ）、および歪曲収差ＤＩＳＴ（％）をそれぞれ示したものである。このように、本数値実施例６に係るズームレンズによっても、数値実施例１と同様に、像面が良好に補正され、各種収差が好適に補正される。
【００８３】
したがって、本実施の形態に係るズームレンズを、携帯電話機、デジタルスティルカメラ、携帯情報端末等の撮像光学系に適用した場合、当該カメラ等の高機能化と小型化の両立を図ることができる。
【００８４】
また、数値実施例３、６に係るズームレンズでは、第１レンズＬ１の材料にプラスチック材料を採用しているため、非球面の採用による良好な収差補正とともに、材料コストや製造コストの削減、さらにはズームレンズの軽量化を図ることも可能となる。特に、第１レンズＬ１は他のレンズに比較してその径が大きく、また体積も大きいことから、第１レンズＬ１の材料としてプラスチック材料を採用することの意義は非常に大きい。
【００８５】
ところで、本実施の形態に係るズームレンズは、上記条件式（１）を満たすことにより、変倍において、広角端での第２レンズ群Ｇ２の光軸上の位置と望遠端での第２レンズ群Ｇ２の光軸上の位置とがほぼ一致するように構成されている。この点について、以下説明する。
【００８６】
上述のように、本実施の形態に係るズームレンズは、第２レンズ群Ｇ２の移動によって合焦およびバックフォーカスの調整が行われる構成となっている。このため、図４４に示すように、第２レンズ群Ｇ２は、物体距離が無限大（∞）の場合には実線で示すような軌跡を辿って移動するのに対し、物体距離が至近距離、例えば物体距離が１０ｃｍの場合には、物体側に繰出し量Δｚだけシフトした軌跡、すなわち図中に破線で示すような軌跡を辿って移動することになる。
【００８７】
表１は、それぞれの数値実施例１〜６について、物体距離が無限大のときの第２レンズ群Ｇ２の光軸上の位置と、物体距離が１０ｃｍのときの第２レンズ群Ｇ２の光軸上の位置との差分（繰出し量Δｚ）を示したものである。
【００８８】
【表１】
2010032936.tif 000004
【００８９】
表１に示されるように、本実施の形態に係るズームレンズでは、繰出し量Δｚが広角端と望遠端とでほぼ同一の値となっている。図４５〜図５０は、上記数値実施例１の構成のズームレンズにおいて、物体距離が１０ｃｍの場合の広角端・中間位置・望遠端における各収差図であり、図５１〜図５６は、上記数値実施例２の構成のズームレンズにおいて、物体距離が１０ｃｍの場合の各収差図であり、図５７〜図６２は、上記数値実施例３の構成のズームレンズにおいて、物体距離が１０ｃｍの場合の各収差図である。また、図６３〜図６８は、上記数値実施例４の構成のズームレンズにおいて、物体距離が１０ｃｍの場合の広角端・中間位置・望遠端における各収差図であり、図６９〜図７４は、上記数値実施例５の構成のズームレンズにおいて、物体距離が１０ｃｍの場合の各収差図であり、図７５〜図８０は、上記数値実施例６の構成のズームレンズにおいて、物体距離が１０ｃｍの場合の各収差図である。
【００９０】
これら収差図に示されるように、本実施の形態に係るズームレンズでは、物体距離が無限大のときと至近距離とで収差の劣化がほとんどなく、至近距離から無限大まで変倍全域において収差が良好に補正される。
【図面の簡単な説明】
【００９１】
【図１】本発明の実施の形態について、数値実施例１に係るズームレンズの概略構成を示すレンズ断面図である。
【図２】同数値実施例１に係るズームレンズの広角端、中間位置、望遠端における各レンズ断面図である。
【図３】同数値実施例１に係るズームレンズの広角端における横収差を示す収差図である。
【図４】同数値実施例１に係るズームレンズの広角端における球面収差、非点収差、歪曲収差を示す収差図である。
【図５】同数値実施例１に係るズームレンズの中間位置における横収差を示す収差図である。
【図６】同数値実施例１に係るズームレンズの中間位置における球面収差、非点収差、歪曲収差を示す収差図である。
【図７】同数値実施例１に係るズームレンズの望遠端における横収差を示す収差図である。
【図８】同数値実施例１に係るズームレンズの望遠端における球面収差、非点収差、歪曲収差を示す収差図である。
【図９】数値実施例２に係るズームレンズの広角端、中間位置、望遠端における各レンズ断面図である。
【図１０】数値実施例２に係るズームレンズの広角端における横収差を示す収差図である。
【図１１】同数値実施例２に係るズームレンズの広角端における球面収差、非点収差、歪曲収差を示す収差図である。
【図１２】同数値実施例２に係るズームレンズの中間位置における横収差を示す収差図である。
【図１３】同数値実施例２に係るズームレンズの中間位置における球面収差、非点収差、歪曲収差を示す収差図である。
【図１４】同数値実施例２に係るズームレンズの望遠端における横収差を示す収差図である。
【図１５】同数値実施例２に係るズームレンズの望遠端における球面収差、非点収差、歪曲収差を示す収差図である。
【図１６】数値実施例３に係るズームレンズの広角端、中間位置、望遠端における各レンズ断面図である。
【図１７】数値実施例３に係るズームレンズの広角端における横収差を示す収差図である。
【図１８】同数値実施例３に係るズームレンズの広角端における球面収差、非点収差、歪曲収差を示す収差図である。
【図１９】同数値実施例３に係るズームレンズの中間位置における横収差を示す収差図である。
【図２０】同数値実施例３に係るズームレンズの中間位置における球面収差、非点収差、歪曲収差を示す収差図である。
【図２１】同数値実施例３に係るズームレンズの望遠端における横収差を示す収差図である。
【図２２】同数値実施例３に係るズームレンズの望遠端における球面収差、非点収差、歪曲収差を示す収差図である。
【図２３】数値実施例４に係るズームレンズの広角端、中間位置、望遠端における各レンズ断面図である。
【図２４】数値実施例４に係るズームレンズの広角端における横収差を示す収差図である。
【図２５】同数値実施例４に係るズームレンズの広角端における球面収差、非点収差、歪曲収差を示す収差図である。
【図２６】同数値実施例４に係るズームレンズの中間位置における横収差を示す収差図である。
【図２７】同数値実施例４に係るズームレンズの中間位置における球面収差、非点収差、歪曲収差を示す収差図である。
【図２８】同数値実施例４に係るズームレンズの望遠端における横収差を示す収差図である。
【図２９】同数値実施例４に係るズームレンズの望遠端における球面収差、非点収差、歪曲収差を示す収差図である。
【図３０】数値実施例５に係るズームレンズの広角端、中間位置、望遠端における各レンズ断面図である。
【図３１】数値実施例５に係るズームレンズの広角端における横収差を示す収差図である。
【図３２】同数値実施例５に係るズームレンズの広角端における球面収差、非点収差、歪曲収差を示す収差図である。
【図３３】同数値実施例５に係るズームレンズの中間位置における横収差を示す収差図である。
【図３４】同数値実施例５に係るズームレンズの中間位置における球面収差、非点収差、歪曲収差を示す収差図である。
【図３５】同数値実施例５に係るズームレンズの望遠端における横収差を示す収差図である。
【図３６】同数値実施例５に係るズームレンズの望遠端における球面収差、非点収差、歪曲収差を示す収差図である。
【図３７】数値実施例６に係るズームレンズの広角端、中間位置、望遠端における各レンズ断面図である。
【図３８】数値実施例６に係るズームレンズの広角端における横収差を示す収差図である。
【図３９】同数値実施例６に係るズームレンズの広角端における球面収差、非点収差、歪曲収差を示す収差図である。
【図４０】同数値実施例６に係るズームレンズの中間位置における横収差を示す収差図である。
【図４１】同数値実施例６に係るズームレンズの中間位置における球面収差、非点収差、歪曲収差を示す収差図である。
【図４２】同数値実施例６に係るズームレンズの望遠端における横収差を示す収差図である。
【図４３】同数値実施例６に係るズームレンズの望遠端における球面収差、非点収差、歪曲収差を示す収差図である。
【図４４】本実施の形態に係るズームレンズにおいて、物体距離が無限大の場合および至近距離の場合の第２レンズ群の移動軌跡を併せて示したレンズ断面図である。
【図４５】数値実施例１に係るズームレンズにおいて、物体距離が１０ｃｍの場合における広角端での横収差を示す収差図である。
【図４６】同数値実施例１に係るズームレンズにおいて、物体距離が１０ｃｍの場合における広角端での球面収差、非点収差、歪曲収差を示す収差図である。
【図４７】同数値実施例１に係るズームレンズにおいて、物体距離が１０ｃｍの場合における中間位置での横収差を示す収差図である。
【図４８】同数値実施例１に係るズームレンズにおいて、物体距離が１０ｃｍの場合における中間位置での球面収差、非点収差、歪曲収差を示す収差図である。
【図４９】同数値実施例１に係るズームレンズにおいて、物体距離が１０ｃｍの場合における望遠端での横収差を示す収差図である。
【図５０】同数値実施例１に係るズームレンズにおいて、物体距離が１０ｃｍの場合における望遠端での球面収差、非点収差、歪曲収差を示す収差図である。
【図５１】数値実施例２に係るズームレンズにおいて、物体距離が１０ｃｍの場合における広角端での横収差を示す収差図である。
【図５２】同数値実施例２に係るズームレンズにおいて、物体距離が１０ｃｍの場合における広角端での球面収差、非点収差、歪曲収差を示す収差図である。
【図５３】同数値実施例２に係るズームレンズにおいて、物体距離が１０ｃｍの場合における中間位置での横収差を示す収差図である。
【図５４】同数値実施例２に係るズームレンズにおいて、物体距離が１０ｃｍの場合における中間位置での球面収差、非点収差、歪曲収差を示す収差図である。
【図５５】同数値実施例２に係るズームレンズにおいて、物体距離が１０ｃｍの場合における望遠端での横収差を示す収差図である。
【図５６】同数値実施例２に係るズームレンズにおいて、物体距離が１０ｃｍの場合における望遠端での球面収差、非点収差、歪曲収差を示す収差図である。
【図５７】数値実施例３に係るズームレンズにおいて、物体距離が１０ｃｍの場合における広角端での横収差を示す収差図である。
【図５８】同数値実施例３に係るズームレンズにおいて、物体距離が１０ｃｍの場合における広角端での球面収差、非点収差、歪曲収差を示す収差図である。
【図５９】同数値実施例３に係るズームレンズにおいて、物体距離が１０ｃｍの場合における中間位置での横収差を示す収差図である。
【図６０】同数値実施例３に係るズームレンズにおいて、物体距離が１０ｃｍの場合における中間位置での球面収差、非点収差、歪曲収差を示す収差図である。
【図６１】同数値実施例３に係るズームレンズにおいて、物体距離が１０ｃｍの場合における望遠端での横収差を示す収差図である。
【図６２】同数値実施例３に係るズームレンズにおいて、物体距離が１０ｃｍの場合における望遠端での球面収差、非点収差、歪曲収差を示す収差図である。
【図６３】数値実施例４に係るズームレンズにおいて、物体距離が１０ｃｍの場合における広角端での横収差を示す収差図である。
【図６４】同数値実施例４に係るズームレンズにおいて、物体距離が１０ｃｍの場合における広角端での球面収差、非点収差、歪曲収差を示す収差図である。
【図６５】同数値実施例４に係るズームレンズにおいて、物体距離が１０ｃｍの場合における中間位置での横収差を示す収差図である。
【図６６】同数値実施例４に係るズームレンズにおいて、物体距離が１０ｃｍの場合における中間位置での球面収差、非点収差、歪曲収差を示す収差図である。
【図６７】同数値実施例４に係るズームレンズにおいて、物体距離が１０ｃｍの場合における望遠端での横収差を示す収差図である。
【図６８】同数値実施例４に係るズームレンズにおいて、物体距離が１０ｃｍの場合における望遠端での球面収差、非点収差、歪曲収差を示す収差図である。
【図６９】数値実施例５に係るズームレンズにおいて、物体距離が１０ｃｍの場合における広角端での横収差を示す収差図である。
【図７０】同数値実施例５に係るズームレンズにおいて、物体距離が１０ｃｍの場合における広角端での球面収差、非点収差、歪曲収差を示す収差図である。
【図７１】同数値実施例５に係るズームレンズにおいて、物体距離が１０ｃｍの場合における中間位置での横収差を示す収差図である。
【図７２】同数値実施例５に係るズームレンズにおいて、物体距離が１０ｃｍの場合における中間位置での球面収差、非点収差、歪曲収差を示す収差図である。
【図７３】同数値実施例５に係るズームレンズにおいて、物体距離が１０ｃｍの場合における望遠端での横収差を示す収差図である。
【図７４】同数値実施例５に係るズームレンズにおいて、物体距離が１０ｃｍの場合における望遠端での球面収差、非点収差、歪曲収差を示す収差図である。
【図７５】数値実施例６に係るズームレンズにおいて、物体距離が１０ｃｍの場合における広角端での横収差を示す収差図である。
【図７６】同数値実施例６に係るズームレンズにおいて、物体距離が１０ｃｍの場合における広角端での球面収差、非点収差、歪曲収差を示す収差図である。
【図７７】同数値実施例６に係るズームレンズにおいて、物体距離が１０ｃｍの場合における中間位置での横収差を示す収差図である。
【図７８】同数値実施例６に係るズームレンズにおいて、物体距離が１０ｃｍの場合における中間位置での球面収差、非点収差、歪曲収差を示す収差図である。
【図７９】同数値実施例６に係るズームレンズにおいて、物体距離が１０ｃｍの場合における望遠端での横収差を示す収差図である。
【図８０】同数値実施例６に係るズームレンズにおいて、物体距離が１０ｃｍの場合における望遠端での球面収差、非点収差、歪曲収差を示す収差図である。
【符号の説明】
【００９２】
Ｇ１    第１レンズ群
Ｇ２    第２レンズ群
Ｇ３    第３レンズ群
Ｇ４    第４レンズ群
Ｌ１    第１レンズ
Ｒ１    プリズム
Ｌ２    第２レンズ
Ｌ３    第３レンズ
ＳＴ    絞り
Ｌ４    第４レンズ
Ｌ５    第５レンズ
Ｌ６    第６レンズ
Ｌ７    第７レンズ
１０    カバーガラス
【図１】
2010032936.tif 000005
【図２】
2010032936.tif 000006
【図３】
2010032936.tif 000007
【図４】
2010032936.tif 000008
【図５】
2010032936.tif 000009
【図６】
2010032936.tif 000010
【図７】
2010032936.tif 000011
【図８】
2010032936.tif 000012
【図９】
2010032936.tif 000013
【図１０】
2010032936.tif 000014
【図１１】
2010032936.tif 000015
【図１２】
2010032936.tif 000016
【図１３】
2010032936.tif 000017
【図１４】
2010032936.tif 000018
【図１５】
2010032936.tif 000019
【図１６】
2010032936.tif 000020
【図１７】
2010032936.tif 000021
【図１８】
2010032936.tif 000022
【図１９】
2010032936.tif 000023
【図２０】
2010032936.tif 000024
【図２１】
2010032936.tif 000025
【図２２】
2010032936.tif 000026
【図２３】
2010032936.tif 000027
【図２４】
2010032936.tif 000028
【図２５】
2010032936.tif 000029
【図２６】
2010032936.tif 000030
【図２７】
2010032936.tif 000031
【図２８】
2010032936.tif 000032
【図２９】
2010032936.tif 000033
【図３０】
2010032936.tif 000034
【図３１】
2010032936.tif 000035
【図３２】
2010032936.tif 000036
【図３３】
2010032936.tif 000037
【図３４】
2010032936.tif 000038
【図３５】
2010032936.tif 000039
【図３６】
2010032936.tif 000040
【図３７】
2010032936.tif 000041
【図３８】
2010032936.tif 000042
【図３９】
2010032936.tif 000043
【図４０】
2010032936.tif 000044
【図４１】
2010032936.tif 000045
【図４２】
2010032936.tif 000046
【図４３】
2010032936.tif 000047
【図４４】
2010032936.tif 000048
【図４５】
2010032936.tif 000049
【図４６】
2010032936.tif 000050
【図４７】
2010032936.tif 000051
【図４８】
2010032936.tif 000052
【図４９】
2010032936.tif 000053
【図５０】
2010032936.tif 000054
【図５１】
2010032936.tif 000055
【図５２】
2010032936.tif 000056
【図５３】
2010032936.tif 000057
【図５４】
2010032936.tif 000058
【図５５】
2010032936.tif 000059
【図５６】
2010032936.tif 000060
【図５７】
2010032936.tif 000061
【図５８】
2010032936.tif 000062
【図５９】
2010032936.tif 000063
【図６０】
2010032936.tif 000064
【図６１】
2010032936.tif 000065
【図６２】
2010032936.tif 000066
【図６３】
2010032936.tif 000067
【図６４】
2010032936.tif 000068
【図６５】
2010032936.tif 000069
【図６６】
2010032936.tif 000070
【図６７】
2010032936.tif 000071
【図６８】
2010032936.tif 000072
【図６９】
2010032936.tif 000073
【図７０】
2010032936.tif 000074
【図７１】
2010032936.tif 000075
【図７２】
2010032936.tif 000076
【図７３】
2010032936.tif 000077
【図７４】
2010032936.tif 000078
【図７５】
2010032936.tif 000079
【図７６】
2010032936.tif 000080
【図７７】
2010032936.tif 000081
【図７８】
2010032936.tif 000082
【図７９】
2010032936.tif 000083
【図８０】
2010032936.tif 000084